(57)【要約】【課題】自動体外式除細動器を心臓発作等で倒れた人のもとに速やかに運び寄せることができるエレベーター装置を提供する。【解決手段】複数の階床を就役するかご１と、各階床の乗場壁面１３に設けられ、かご１を呼び寄せる乗場呼び釦３と、かご１の昇降を制御する制御装置とを備えたエレベーター装置において、かご１内のかご内壁面１ａに取り付けられ、心臓機能の回復に活用される自動体外式除細動器６と、乗場壁面１３に乗場呼び釦３とは別に設けられ、自動体外式除細動器６の必要時にこの乗場に優先的にかご１を呼び寄せる緊急呼び釦７とを備えた。前述の制御装置が、緊急呼び釦７の操作と連動して、かご１を緊急呼び釦７が操作された階床まで運転させる制御を行なう運転制御部を備えている。【選択図】図１
2010076920.tif 000002
【特許請求の範囲】
【請求項１】
複数の階床を就役するかごと、各階床の乗場に設けられ、前記かごを呼び寄せる乗場呼び釦と、前記かごの昇降を制御する制御装置とを備えたエレベーター装置において、
前記かご内の所定部位に取り付けられ、心臓機能の回復に活用される自動体外式除細動器と、
前記乗場に前記乗場呼び釦とは別に設けられ、前記自動体外式除細動器の必要時にこの乗場に優先的に前記かごを呼び寄せる緊急呼び釦とを備えていることを特徴とするエレベーター装置。
【請求項２】
請求項１に記載のエレベーター装置において、
前記制御装置が、前記緊急呼び釦の操作と連動して、前記かごを前記緊急呼び釦が操作された階床まで運転させる制御を行なう運転制御部を備えていることを特徴とするエレベーター装置。
【請求項３】
請求項１に記載のエレベーター装置において、
前記かご内に配置され、所定の緊急対応施設に通報可能な非常通報装置を備え、
前記制御装置が、前記自動体外式除細動器の前記所定部位からの離脱に伴って前記非常通報装置を起動させ、前記所定の緊急対応施設に通報させる処理を行なわせる通報処理部を備えていることを特徴とするエレベーター装置。
【請求項４】
請求項１から３のいずれか１項に記載のエレベーター装置において、
前記緊急呼び釦と同等の機能を有する別の緊急呼び釦を備え、この別の緊急呼び釦を、このエレベーター装置が備えられる館内の前記乗場とは異なる場所に備えていることを特徴とするエレベーター装置。
【発明の詳細な説明】
【技術分野】
【０００１】
本発明は、かごを呼び寄せる乗場呼び釦と、かごの昇降を制御する制御装置とを有するエレベーター装置に関する。
【背景技術】
【０００２】
従来、心臓機能を回復させるための電気ショックを与える自動体外式除細動器は、法的な制約から医師でなければ操作することができなかったが、法改正によって所定の範囲で一般人が取り扱うことが可能になったことから、最近では医療機関ではもちろんのこと、駅やホテルなど人が多数集う場所に設置されている。
【０００３】
また、従来、自動体外式除細動器を、目立ちやすい塗装がなされたポストのような縦長の収納容器に収納するとともに、扉を開けて自動体外式除細動器を取り出し当該自動体外式除細動器の電源を入れると、自動体外式除細動器の取扱い手順が自動的に音声出力されるようになっているものも知られている（特許文献１参照）。
【特許文献１】特開２００７−２４４８０４号公報
【発明の開示】
【発明が解決しようとする課題】
【０００４】
前述した特許文献１に示される従来技術を含めて、従来においては、駅やホテルなどに設置された一般人向けの自動体外式除細動器に注目されることは少なく、心臓発作等で倒れた人がいても自動体外式除細動器の設置場所が判らなかったり、館内に設置されていることは判っても場所が判らないなどの問題点もあった。
【０００５】
本発明の目的は、自動体外式除細動器を心臓発作等で倒れた人のもとに速やかに運び寄せることができるエレベーター装置を提供することにある。
【課題を解決するための手段】
【０００６】
この目的を達成するために、本発明は、複数の階床を就役するかごと、各階床の乗場に設けられ、前記かごを呼び寄せる乗場呼び釦と、前記かごの昇降を制御する制御装置とを備えたエレベーター装置において、前記かご内の所定部位に取り付けられ、心臓機能の回復に活用される自動体外式除細動器と、前記乗場に前記乗場呼び釦とは別に設けられ、前記自動体外式除細動器の必要時にこの乗場に優先的に前記かごを呼び寄せる緊急呼び釦とを備えたことを特徴としている。
【０００７】
このように構成した本発明は、ある階床で自動体外式除細動器が必要な事態が発生した場合、乗場の緊急呼び釦を押すと、エレベーターがほかの利用客のためにサービス中であっても、緊急呼びが登録された乗場にかごが優先的に直行運転される。したがって、かご内の所定部位に取り付けられた自動体外式除細動器を取り外すことによって、その自動体外式除細動器を心臓発作等で倒れた人のもとに速やかに運び寄せることができる。
【０００８】
また、本発明は、前記発明において、前記制御装置が、前記緊急呼び釦の操作と連動して、前記かごを前記緊急呼び釦が操作された階床まで運転させる制御を行なう運転制御部を備えていることを特徴としている。
【０００９】
また、本発明は、前記発明において、前記かご内に配置され、所定の緊急対応施設に通報可能な非常通報装置を備え、前記制御装置が、前記自動体外式除細動器の前記所定部位からの離脱に伴って前記非常通報装置を起動させ、前記所定の緊急対応施設に通報させる処理を行なわせる通報処理部を備えていることを特徴としている。
【００１０】
また、本発明は、前記発明において、前記緊急呼び釦と同等の機能を有する別の緊急呼び釦を備え、この別の緊急呼び釦を、このエレベーター装置が備えられる館内の前記乗場とは異なる場所に設けたことを特徴としている。
【発明の効果】
【００１１】
本発明によるエレベーター装置は、かご内の所定部位に取り付けられ、心臓機能の回復に活用される自動体外式除細動器と、乗場に乗場呼び釦とは別に設けられ、自動体外式除細動器の必要時にこの乗場に優先的にかごを呼び寄せる緊急呼び釦とを備えたことから、緊急呼び釦を押して乗場に自動体外式除細動器が取り付けられたかごを呼び寄せることにより、自動体外式除細動器を心臓発作等で倒れた人のもとに速やかに運び寄せることができる。これによって、従来に比べて心臓発作等で倒れた人に対する治療を早く開始することができる。
【発明を実施するための最良の形態】
【００１２】
本発明に係るエレベーター装置を実施するための最良の形態を図に基づいて説明する。
【００１３】
図１は、本発明のエレベーター装置の一実施形態を示す斜視図、図２は、図１に示す一実施形態が備えられる館内の所定階床を示す平面図である。
【００１４】
この本実施形態に係るエレベーター装置は、主ロープ２の移動を介して複数の階床を就役し、到着階床を登録するかご呼び登録釦４を有するかご１と、各階床の乗場に設けられ、かご１を呼び寄せる乗場呼び釦３と、かご１の昇降を制御する図示しない制御装置とを備えている。また、かご１内の所定部位、例えばかご内壁面１ａに取り付けられ、心臓機能の回復に活用される自動体外式除細動器６と、乗場に乗場呼び釦３とは別に設けられ、自動体外式除細動器６の必要時にこの乗場に優先的にかご１を呼び寄せる乗場壁面１３に取付けた緊急呼び釦７とを備えている。
【００１５】
また、緊急呼び釦７の近くに自動体外式除細動器６が搭載されたかご１を当該階床に呼び寄せられること、自動体外式除細動器６をかご１まで取りに行く必要があることを表示する案内表示器８が設置されている。さらに、前述した制御装置は、緊急呼び釦７の操作と連動して、かご１を緊急呼び釦７が操作された階床まで運転させる制御を行なう運転制御部を備えている。また、かご１内に配置され、所定の緊急対応施設に通報可能な非常通報装置５を備え、前述した制御装置は、自動体外式除細動器６の所定部位からの離脱に伴って非常通報装置５を起動させ、所定の緊急対応施設に通報させる処理を行なわせる通報処理部も備えている。すなわち、かご１内には、自動体外式除細動器６が取出し自在に設けられており、その自動体外式除細動器６を取出したときに動作するとともに、非常通報装置５に連動している図示しないスイッチを備えている。
【００１６】
また、図２に示すように、館内の乗場とは異なる場所の館内壁面１４に備えられ、緊急呼び釦７と同等の機能を有する別の緊急呼び釦７ａ，７ｂ，７ｃと、この別の緊急呼び釦７ａ，７ｂ，７ｃの近くに、自動体外式除細動器６が搭載されたかご１を当該階床に呼び寄せられること、自動体外式除細動器６をかご１まで取りに行く必要があること、エレベーターの位置などの内容などを表示する別の案内表示器８ａ，８ｂ，８ｃが設置されている。別の緊急呼び釦７ａと別の案内表示器８ａは、館内に設置される会計カウンタ１１の背後に設けられ、別の緊急呼び釦７ｂと別の案内表示器８ｂは、館内に設置される館内案内所１２の背後に設けられ、別の緊急呼び釦７ｃと別の案内表示器８ｃは館内の別の場所に設けられている。
【００１７】
なお、かご１内には緊急呼び釦７，７ａ〜７ｃが押されて、緊急呼びが発生したことを表示する緊急呼びかご内表示器９が設けられ、乗場壁面１３にも緊急呼び釦７，７ａ〜７ｃが押されて緊急呼びが発生したことを表示する緊急呼び乗場表示器１０が設けられている。
【００１８】
このように構成した本実施形態は、ある階床で自動体外式除細動器６が必要な事態が発生した場合、乗場の緊急呼び釦７を押すと、エレベーターがほかの利用客のためにサービス中であっても、かご１が所定の階に停止し、緊急呼び釦７の操作と連動して、運転させる制御を行なう運転制御部により、乗場呼びやかご呼びがキャンセルされ、緊急呼びが登録された乗場にかご１が優先的に直行運転される。乗場以外の場所に設置された緊急呼び釦７ａ，７ｂ，７ｃを押した場合も同様である。これらの緊急呼び釦７，７ａ〜７ｃが押されると、自動体外式除細動器６が搭載されたかご１を当該階床に呼び寄せられること、自動体外式除細動器６をかご１まで取りに行く必要があること、エレベーターの位置などが別の案内表示器８ａ，８ｂ，８ｃに表示される。
【００１９】
また、かご１内の緊急呼びかご内表示器９、及び乗場壁面１３の緊急呼び乗場表示器１０は、緊急呼びが登録されたことを表示し、かご１内の利用客及び各階床の乗場にいる利用客に緊急呼びが登録されたことを連絡する。かご１は緊急呼びが登録された階床に到着後、前述した図示しない制御装置の制御によって例えば通常のドア開放時間より相当に長い時間ドアが開放したまま、その階床に待機する。かご１内の自動体外式除細動器６が外されると、図示しないスイッチが動作し、非常通報装置５が起動し、非常通報装置５のインターホンにより所定の緊急対応施設へ緊急通報が行なわれる。
【００２０】
このように、心臓発作等で倒れた人の周囲の人が緊急呼び釦７を押すと、乗場呼びやかご呼びがキャンセルされ、図示しない制御装置の運転制御部によって、緊急呼びが登録された乗場にかご１が利用客のいる他の階床に停止することなく直行運転され、所定の階床に到着し、かご１内の所定部位に取り付けられた自動体外式除細動器６を取り外すことによって、その自動体外式除細動器６を心臓発作等で倒れた人のもとに速やかに運び寄せることができる。これにより、心臓発作等で倒れた人に対する治療を早く開始することができる。
【００２１】
また、前述したように館内の乗場とは異なる場所に設けてある別の緊急呼び釦７ａ，７ｂ，７ｃを押すことにより、自動体外式除細動器６が搭載されたかご１を当該階床に呼び寄せられること、自動体外式除細動器６をかご１まで取りに行く必要があること、エレベーターの位置などが別の案内表示器８ａ，８ｂ，８ｃに表示され、緊急呼び釦７ａ，７ｂ，７ｃの該当するものが押された階床に自動体外式除細動器６を有するかご１が到着し、かご１内の自動体外式除細動器６を心臓発作等で倒れた人のもとに速やかに運び寄せることができる。
【００２２】
なお、自動体外式除細動器６を取り出し自在としたが、盗難、紛失の予防のため、緊急呼び釦７と連動して開鍵する鍵付としてもよい。
【００２３】
また、自動体外式除細動器６を取り外したとき、緊急対応施設に対して自動的に通報するようにしたが、緊急対応施設に対しての通報を行なわないようにしてもよい。
【００２４】
また、各階床の面積が狭い場合や、乗場からの見通しが良い場合には、緊急呼び釦７を乗場付近だけに設置してもよい。
【００２５】
また、かご１内及び乗場の利用客に緊急呼びが登録されたことを連絡する必要がない場合には、案内表示器８，８ａ〜８ｃ、及び緊急呼びかご内表示器９、緊急呼び乗場表示器１０を不要としてもよい。
【図面の簡単な説明】
【００２６】
【図１】本発明のエレベーター装置の一実施形態を示す斜視図である。
【図２】図１に示す一実施形態が備えられる館内の所定階床を示す平面図である。
【符号の説明】
【００２７】
１      かご
１ａ    かご内壁面
３      乗場呼び釦
５      非常通報装置
６      自動体外式除細動器（AED）
７      緊急呼び釦
７ａ    別の緊急呼び釦
７ｂ    別の緊急呼び釦
７ｃ    別の緊急呼び釦
８      案内表示器
８ａ    別の案内表示器
８ｂ    別の案内表示器
８ｃ    別の案内表示器
９      緊急呼びかご内表示器
１０    緊急呼び乗場表示器
１１    会計カウンタ
１２    館内案内所
１３    乗場壁面
１４    館内壁面
【図１】
2010076920.tif 000003
【図２】
2010076920.tif 000004